(57)【要約】    【課題】感光体ドラムに傷が発生することを防止できるようにする。    【解決手段】複写機は、感光体ドラムと、複数のローラ間に張設されて感光体ドラムと接触する接触部を有する転写用ベルトと、上記接触部に対して転写用の帯電電荷を与える転写バイアス電源と、を含んでいる。画像形成動作の開始時には、まず、（１）転写バイアス電源を動作させ、（２）次いで、ローラを回転させ、（３）次いで、感光体ドラムの回転を開始させるようになっている。    【効果】感光体ドラムおよび転写用ベルトの動作に先立って、転写バイアス電源をオンにすることにより、感光体ドラムと転写用ベルトとを接触部で引き付けて、感光体ドラムが接触部で異物と擦れることを防止できる。    【選択図】            図２
2006242992.tif 000002
【特許請求の範囲】
【請求項１】
ドラム形状の像担持体と、
少なくとも２つのローラ間に張設されて回転移動可能であり、架張部が上記像担持体と接触している転写用ベルトと、
転写用ベルトと像担持体との上記接触部に対して、転写用の帯電電荷を与える転写バイアス印加手段と、
を含む画像形成装置において、
画像形成動作の開始時に、
（１）転写バイアス印加手段を動作させ、
（２）次いで、ローラを回転させ、
（３）次いで、像担持体の回転を開始させる、
という順番で、転写バイアス印加手段、ローラ、および、像担持体を、所定の微小時間差を設けて動作開始させる駆動開始制御手段、
を有することを特徴とする画像形成装置。
【請求項２】
上記転写用ベルトの回転移動、および、像担持体の回転を停止させた後に、上記転写バイアス印加手段の動作を停止させる停止制御手段、をさらに有することを特徴とする請求項１記載の画像形成装置。
【請求項３】
上記像担持体は、アモルファスシリコンを用いて形成されていることを特徴とする請求項１または２記載の画像形成装置。
【発明の詳細な説明】
【技術分野】
【０００１】
この発明は、感光体ドラムなどの像担持体を有する画像形成装置に関する。
【背景技術】
【０００２】
複写機やプリンタなどの画像形成装置には、感光体ドラムに静電潜像を形成してトナーで現像し、現像したトナー像を用紙に転写するものがある。このような画像形成装置には、装置内の用紙の搬送を、無端状のベルトを用いて行うものがある（たとえば、特許文献１参照）。
上記のベルトは、駆動ローラと従動ローラによって張架されており、駆動ローラの駆動により回転移動されるようになっている。また、ベルトは、感光体ドラムと転写ローラとによって挟まれており、当該挟まれた位置が転写位置とされている。そして、画像形成時、用紙は、ベルトによって転写位置に搬送され、転写ローラの転写バイアスによって、感光体ドラムのトナー像を転写される。
【特許文献１】特開２００３−２９５５２号公報
【発明の開示】
【発明が解決しようとする課題】
【０００３】
感光体ドラムは、転写位置でベルトと接触しており、異物（砂粒などの硬いもの）が転写位置に入り込むことがある。このとき、転写位置において、感光体ドラムとベルトとの間に速度差があると、異物が感光体ドラムに擦れて感光体ドラムの表面に傷が付くおそれがある。特に、画像形成動作の開始時には、感光体ドラム、および、ベルトのそれぞれについて、停止状態から駆動状態への移行を伴うため、感光体ドラムとベルトとの速度差を生じ易く、感光体ドラムに傷が付き易い。感光体ドラムに傷が付くと、その傷付いた部分は帯電できず、その結果、傷部分がトナー像として現像されてしまい不要なトナー像が形成画像に現れるために画質の低下を招いてしまう。
【０００４】
また、ベルトは、停止状態ではわずかなたるみを持たせつつ、駆動ローラおよび従動ローラに掛け回されている。その結果、駆動ローラの駆動の開始から、ベルトが十分な張力を与えられて一定の速度で安定して駆動するまでに時間を要し、言い換えれば、画像形成動作時のベルトの速度へ到達するのに時間が必要である。
この発明は、かかる背景のもとでなされたもので、像担持体である感光体ドラムに傷が発生することを防止することのできる画像形成装置を提供することを目的とする。
【０００５】
また、この発明の別の目的は、画像形成動作時の立ち上がり時間を短くすることのできる画像形成装置を提供することにある。
【課題を解決するための手段】
【０００６】
上記の目的を達成するための請求項１記載の発明は、ドラム形状の像担持体と、少なくとも２つのローラ間に張設されて回転移動可能であり、架張部が上記像担持体と接触している転写用ベルトと、転写用ベルトと像担持体との上記接触部に対して、転写用の帯電電荷を与える転写バイアス印加手段と、を含む画像形成装置において、画像形成動作の開始時に、（１）転写バイアス印加手段を動作させ、（２）次いで、ローラを回転させ、（３）次いで、像担持体の回転を開始させる、という順番で、転写バイアス印加手段、ローラ、および、像担持体を、所定の微小時間差を設けて動作開始させる駆動開始制御手段、を有することを特徴とする画像形成装置である。
【０００７】
この構成によれば、像担持体、および、ベルトの動作に先立って、転写バイアス印加手段を動作させることにより、接触部に転写用の帯電電荷を与えて、像担持体と転写用ベルトとを引き付け合うようにしている。これにより、像担持体と転写用ベルトが擦れ易い画像形成動作の開始時に、両者が一緒に動くので擦れ合うことを防止できる。その結果、砂粒などの異物が接触部に入り込んだときでも、像担持体が異物と擦れ合って傷付くことを防止でき、不要なトナー像の発生による画質の低下を防止できる。
【０００８】
また、像担持体と転写用ベルトとを接触部で引き付けた状態で、像担持体よりも先にローラを回転させていることにより、転写用ベルトがローラに十分な張力を与えられて安定して駆動するまでの時間を短くできる。その結果、画像形成動作の開始から１枚目の用紙に画像形成が行われるまでの時間（ファースト出力時間）を短くすることができ、画像形成動作の立ち上り時間をより短くすることができる。
【０００９】
さらに、ローラの回転開始から転写用ベルトの安定駆動までの時間（タイムラグ）を考慮して、ローラの回転の開始から微小時間経過後に、像担持体の回転を開始させている。これにより、転写用ベルトの速度と像担持体の速度とを同期させて、像担持体と異物とが擦れることを、より確実に防止できる。
請求項２記載の発明は、上記転写用ベルトの回転移動、および、像担持体の回転を停止させた後に、上記転写バイアス印加手段の動作を停止させる停止制御手段、をさらに有することを特徴とする請求項１記載の画像形成装置である。
【００１０】
この構成によれば、画像形成動作の終了時において、転写用ベルト、および、像担持体が完全に停止するまで、転写バイアスの印加により、像担持体と転写用ベルトとを接触部で互いに引き付けている。これにより、像担持体と転写用ベルトが擦れ易い画像形成動作の終了時に、両者が一緒に動くので擦れ合うことを防止できる。その結果、像担持体が接触部で異物と擦れ合って傷付くことを防止でき、不要なトナー像の発生による画質の低下を防止できる。
【００１１】
請求項３記載の発明は、上記像担持体は、アモルファスシリコンを用いて形成されていることを特徴とする請求項１または２記載の画像形成装置である。
この構成によれば、像担持体に硬質のアモルファスシリコンを用いた場合でも、接触部で異物と擦れることが防止されているため、像担持体に傷が付くことを良好に防止することができる。
【発明を実施するための最良の形態】
【００１２】
以下には、図面を参照して、この発明の実施形態について具体的に説明する。
図１は、この発明の一実施形態にかかる画像形成装置としての複写機の概略構成を示す模式的な側面図である。図１を参照して、この複写機１は、カラー画像データに基づいて、マゼンダ（Ｍ）、シアン（Ｃ）、イエロー（Ｙ）およびブラック（ＢＫ）の各色のトナーを用紙に順次重ね合わせることにより、フルカラー画像を形成することができる、電子写真方式のいわゆるタンデム型のデジタルカラー複写機１である。
【００１３】
複写機１は、像担持体として各色トナーに対応する略円筒状の４つの感光体ドラム２Ｍ，２Ｃ，２Ｙ，２ＢＫ（ドラム形状の像担持体）と、複数のローラ３と、これらのローラ３間に張設されている無端状の転写用ベルト４と、転写バイアス電源５（転写バイアス印加手段）と、制御部６（駆動開始制御手段、停止制御手段）とを備えている。
各感光体ドラム２Ｍ，２Ｃ，２Ｙ，２ＢＫは、アモルファスシリコン（Ａ−Ｓｉ）を含む表面層を有しており、左右方向に転写用ベルト４に沿って並んで配置されている。これらの感光体ドラム２Ｍ，２Ｃ，２Ｙ，２ＢＫは、それぞれに設けられたドラムモータ７の駆動によって、所定の回転方向Ｒ１（図１において、時計回り）に回転されるようになっている。各ドラムモータ７は、たとえば、ＤＣ（直流）モータからなる。なお、ドラムモータ７は、ステッピングモータなどであってもよい。
【００１４】
画像形成時、感光体ドラム２Ｍには、画像データに基づくマゼンダのトナー像が形成されるようになっている。同様に、感光体ドラム２Ｃには、画像データに基づくシアンのトナー像が形成されるようになっている。感光体ドラム２Ｙには、画像データに基づくイエローのトナー像が形成されるようになっている。感光体ドラム２ＢＫには、画像データに基づくブラックのトナー像が形成されるようになっている。
【００１５】
感光体ドラム２Ｍ，２Ｃ，２Ｙ，２ＢＫの周囲には、それぞれ、クリーニング装置８が設けられている。各クリーニング装置８は、対応する感光体ドラム２Ｍ，２Ｃ，２Ｙ，２ＢＫの回転方向Ｒ１において、後述する接触部Ｎよりも下流側に配置されており、用紙Ｐに転写されなかった残留トナーを回収するようになっている。
転写用ベルト４は、樹脂により形成された、伸縮性および帯電性を有するベルトであり、感光体ドラム２Ｍ，２Ｃ，２Ｙ，２ＢＫの下方に配置されている。上記の樹脂として、ＰＶＤＦ（PolyVinyliDeneFluoride）、ＥＴＦＥ（Ethylene Tetrafluoro Ethylene）、および、ＰＩ（Polyimide）を例示することができる。転写用ベルト４の厚みは、たとえば、０．１ｍｍとされており、転写用ベルト４の体積抵抗は、たとえば、１．０×１０１２〜１．０×１０１３Ω・ｃｍとされている。
【００１６】
転写用ベルト４の上側部分の一部は、左右方向にまっすぐに延びており、架張部９とされている。架張部９の表面（上面）は、感光体ドラム２Ｍ，２Ｃ，２Ｙ，２ＢＫと、接触部Ｎ（ニップ）でそれぞれ接触している。
ローラ３は、転写用ベルト４の径方向内方に配置されている。ローラ３は、少なくとも２つ（この実施形態において、８つ）設けられており、駆動ローラ３１を含んでいる。
【００１７】
駆動ローラ３１は、転写用ベルト４を、上記回転方向Ｒ１と反対の回転方向Ｒ２（反時計回り方向）に回転移動させるためのものであり、たとえば、１つ設けられている。駆動ローラ３１は、用紙Ｐの搬送方向Ａの最も下流側に位置する感光体ドラム２ＢＫよりも、搬送方向Ａの下流側に配置されている。この駆動ローラ３１は、駆動ローラモータ１０の駆動によって回転するようになっている。駆動ローラモータ１０は、たとえば、ステッピングモータからなる。
【００１８】
駆動ローラ３１は、たとえば、直径が１５．２ｍｍに形成されている。具体的には、直径が１４．２ｍｍの金属軸に、０．５ｍｍの厚みを有する筒状のゴムを外嵌して形成されている。このゴムとして、ＥＰＤＭ（Ethylene-Propylene-Diene Methylene linkage）を例示することができる。
ローラ３は、転写用ベルト４の回転移動によって回転される従動ローラとしての、転写ローラ３２とアイドルローラ３３とをさらに含んでいる。
【００１９】
転写ローラ３２は、感光体ドラム２Ｍ，２Ｃ，２Ｙ，２ＢＫで形成されたトナー像を、用紙Ｐに転写するためのものである。この転写ローラ３２は、たとえば、４つ設けられており、感光体ドラム２Ｍ，２Ｃ，２Ｙ，２ＢＫの接触部Ｎに対向する位置にそれぞれ配置されている。
各転写ローラ３２は、転写バイアス電源５に接続されており、転写用の帯電電荷を接触部Ｎに与えるようになっている。
【００２０】
各転写ローラ３２は、たとえば、直径が１５ｍｍに形成されている。具体的には、直径が８ｍｍの金属軸に、３．５ｍｍの厚みを有する筒状の発泡体を外嵌して形成されたものである。この発泡体として、ＥＰＤＭ（Ethylene-Propylene-Diene Methylene linkage）を例示することができる。各転写ローラ３２の抵抗は、たとえば、１．０×１０６〜１．０×１０７Ωである。
【００２１】
アイドルローラ３３は、たとえば、３つ設けられており、用紙Ｐの搬送方向Ａの最も上流側に位置する感光体ドラム２Ｍよりも、搬送方向Ａの上流側と、駆動ローラ３１よりも転写用ベルト４の回転方向下流側とにそれぞれ配置されている。
転写バイアス電源５は、転写ローラ３２を介して接触部Ｎに転写用の帯電電荷を与えるためのものである。この転写バイアス電源５は、感光体ドラム２Ｍ，２Ｃ，２Ｙ，２ＢＫで形成されたトナー像を用紙Ｐに転写する際には、電流が所定の値、たとえば、１５μＡとなるようにして（定電流制御により）帯電電荷を供給し、画像形成動作の開始・終了のそれぞれの際には、電圧が所定の値、たとえば、＋１．３ｋＶとなるようにして（定電圧制御により）帯電電荷を供給するようになっている。
【００２２】
制御部６は、ＣＰＵ、ＲＡＭ、ＲＯＭなどを含んでおり、転写バイアス電源５の動作、転写用ベルト４の回転移動、および、感光体ドラム２Ｍ，２Ｃ，２Ｙ，２ＢＫの回転について、それぞれ制御できるようになっている。具体的には、制御部６は、感光体ドラム２Ｍ，２Ｃ，２Ｙ，２ＢＫのドラムモータ７、駆動ローラモータ１０、および、転写バイアス電源５のそれぞれに接続されている。これにより制御部６は、各ドラムモータ７の駆動・停止、駆動ローラモータ１０の駆動・停止、および、転写バイアス電源５の動作（オン・オフ）を行うことができる。
【００２３】
複写機１の画像形成動作は、以下のようにして行われる。すなわち、感光体ドラム２Ｍ，２Ｃ，２Ｙ，２ＢＫが回転しているとともに、転写用ベルト４が回転移動している状態で、転写用ベルト４上を用紙Ｐが搬送方向Ａに沿って移動する。感光体ドラム２Ｍの接触部Ｎに到達した用紙Ｐには、転写ローラ３２によって、感光体ドラム２Ｍに形成されたマゼンダのトナー像が転写される。同様にして、用紙Ｐには、順次、シアン、イエロー、および、ブラックのトナー像が転写される。感光体ドラム２ＢＫの接触部Ｎを通過して転写用ベルト４から送り出された用紙Ｐは、定着装置（図示せず）によって、トナー像の定着が行われたあと、機外に排出される。
【００２４】
この実施形態の特徴の１つは、画像形成動作の開始時、制御部６は、（１）転写バイアス電源５をオンにし、（２）次いで、駆動ローラ３１（駆動ローラモータ１０）の回転駆動を開始して転写用ベルト４の回転移動を開始し、（３）次いで、各ドラムモータ７の駆動を開始して感光体ドラム２Ｍ，２Ｃ，２Ｙ，２ＢＫの回転を開始させる、という順番で、転写バイアス電源５のオン、駆動ローラモータ１０の駆動の開始、および、各ドラムモータ７の駆動の開始を、それぞれ所定の微小時間をあけて順次行わせるようにしている点にある。
【００２５】
こうすることによって、画像形成動作の開始時に、感光体ドラム２Ｍ，２Ｃ，２Ｙ，２ＢＫと転写用ベルト４との間に速度差が生じることを防止して、感光体ドラム２Ｍ，２Ｃ，２Ｙ，２ＢＫが異物と擦れて傷付くことを防止している。
図２は、画像形成動作の開始時における転写バイアス電源５、駆動ローラモータ１０、および、各ドラムモータ７の動作について説明するためのタイミングチャートである。図１および図２を参照して、画像形成動作の開始時、制御部６は、まず、転写バイアス電源５をオンにする（タイミングＴ１）。これにより、転写ローラ３２に転写バイアスが印加される。
【００２６】
転写バイアスが印加された転写ローラ３２の帯電電荷により、転写用ベルト４は、接触部Ｎにおいて、対応する感光体ドラム２Ｍ，２Ｃ，２Ｙ，２ＢＫに引き付けられる。これにより、転写用ベルト４と感光体ドラム２Ｍ，２Ｃ，２Ｙ，２ＢＫとは、一緒に動くようにされて擦れ合わないようにされる。
転写バイアス電源５をオンにしてから所定の微小時間（たとえば、１００ｍｓ）経過後、制御部６は、駆動ローラモータ１０の駆動を開始させる（タイミングＴ２）。これにより、駆動ローラ３１の駆動が開始される。これによって転写用ベルト４が駆動を開始するのであるが、感光体ドラム２Ｍ，２Ｃ，２Ｙ，２ＢＫも転写用ベルト４に帯電電荷により引き付けられているので回転を開始する。
【００２７】
ここで、画像形成動作を行っていないとき（停止時）、転写用ベルト４は、感光体ドラム２ＢＫの接触部Ｎと、駆動ローラ３１との間でたるみが生じた状態となる（図１において、たるんだ状態の転写用ベルト４を２点鎖線で図示）。
このため、駆動ローラ３１の駆動の開始から、転写用ベルト４が駆動ローラ３１に十分な張力を与えられて、安定して駆動するまでの間に所定の時間（タイムラグ）が必要となる。
【００２８】
しかしながら、転写用ベルト４は、感光体ドラム２ＢＫに引き付けられているため、転写用ベルト４のうち、感光体ドラム２ＢＫと駆動ローラ３１との間の短い領域に、駆動ローラ３１の張力を与えれば、転写用ベルト４に十分な張力を与えることができる。これにより、転写用ベルト４に速やかに十分な張力を与えて、タイムラグを短くすることができる。
【００２９】
駆動ローラモータ１０の駆動を開始してから所定の微小時間（たとえば、１００ｍｓ）経過後、制御部６は、各ドラムモータ７の駆動を開始させる（タイミングＴ３）。これにより、感光体ドラム２Ｍ，２Ｃ，２Ｙ，２ＢＫは、回転を開始する。この際、速度の立ち上がりの遅い転写用ベルト４は感光体ドラム２Ｍ，２Ｃ，２Ｙ，２ＢＫに帯電電荷によって引き付けられているので速度の立ち上がりの早い感光体ドラム２Ｍ，２Ｃ，２Ｙ，２ＢＫに引きずられるようにして回転速度を速める。
【００３０】
感光ドラム２Ｍ，２Ｃ，２Ｙ，２ＢＫは、ドラムモータ７の駆動開始と同時に回転を開始して、安定して駆動する。このため、転写用ベルト４の安定駆動までのタイムラグを考慮して、駆動ローラモータ１０の駆動開始から、上記微小時間経過後、ドラムモータ７の駆動開始を行うことにより、転写用ベルト４の速度と、感光ドラム２Ｍ，２Ｃ，２Ｙ，２ＢＫの速度とを同期させることができる。
【００３１】
また、この実施形態の別の特徴の１つは、画像形成動作の終了の際、制御部６は、転写用ベルト４の回転移動、および、感光体ドラム２Ｍ，２Ｃ，２Ｙ，２ＢＫの双方の回転を停止させた後に、転写バイアス電源５をオフ（停止）させるようにしている点にある。
具体的には、用紙Ｐが感光体ドラム２ＢＫの接触部Ｎを通過し、さらに、機外に排出された後、制御部６は、ドラムモータ７、および、駆動ローラモータ１０のそれぞれの駆動を停止する。これにより、感光体ドラム２Ｍ，２Ｃ，２Ｙ，２ＢＫ、および、駆動ローラ３１（転写用ベルト４）は、それぞれ、慣性により所定時間だけ回転し、その後、停止する。
【００３２】
このとき、感光体ドラム２Ｍ，２Ｃ，２Ｙ，２ＢＫと転写用ベルト４とは、転写バイアスによって、対応する接触部Ｎで引き付け合わされているため、感光体ドラム２Ｍ，２Ｃ，２Ｙ，２ＢＫと転写用ベルト４とが一緒に動いて擦れ合うことが防止される。
感光体ドラム２Ｍ，２Ｃ，２Ｙ，２ＢＫ、および、転写用ベルト４の双方が停止してから、所定の微小時間（たとえば、１００ｍｓ）経過後、制御部６は、転写バイアス電源５をオフする。
【００３３】
以上説明したように、この実施形態によれば、画像形成動作の開始時に、感光体ドラム２Ｍ，２Ｃ，２Ｙ，２ＢＫ、および、転写用ベルト４の双方の動作に先立って、転写バイアス電源５をオンにすることにより、接触部Ｎのそれぞれに転写用の帯電電荷を与えて、感光体ドラム２Ｍ，２Ｃ，２Ｙ，２ＢＫと、転写用ベルト４とを引き付け合うようにしている。
【００３４】
これにより、感光体ドラム２Ｍ，２Ｃ，２Ｙ，２ＢＫと転写用ベルト４が擦れ易い画像形成動作の開始時に、両者が一緒に動くことで擦れ合うことを防止できる。その結果、砂粒などの異物が接触部Ｎに入り込んだときでも、感光体ドラム２Ｍ，２Ｃ，２Ｙ，２ＢＫが異物と擦れ合って傷付くことを防止でき、不要なトナー像の発生による画質の低下を防止できる。
【００３５】
また、感光体ドラム２Ｍ，２Ｃ，２Ｙ，２ＢＫと転写用ベルト４とを対応する接触部Ｎで引き付けた状態で、感光体ドラム２Ｍ，２Ｃ，２Ｙ，２ＢＫよりも先に駆動ローラ３１を回転させている。
これにより、転写用ベルト４が駆動ローラ３１に十分な張力が与えられて安定して駆動するまでの時間を短くできる。その結果、画像形成動作の開始から１枚目の用紙Ｐに画像形成が行われるまでの時間（ファースト出力時間）を短くすることができ、画像形成動作の立ち上り時間をより短くすることができる。
【００３６】
さらに、駆動ローラ３１の回転開始から転写用ベルト４の安定駆動までの時間（タイムラグ）を考慮して、駆動ローラ３１の回転の開始から微小時間経過後に、感光体ドラム２Ｍ，２Ｃ，２Ｙ，２ＢＫの回転を開始させている。これにより、転写用ベルト４の速度と、感光体ドラム２Ｍ，２Ｃ，２Ｙ，２ＢＫの速度とを同期させて、感光体ドラム２Ｍ，２Ｃ，２Ｙ，２ＢＫと異物とが擦れることを、より確実に防止できる。
【００３７】
また、画像形成動作の終了時において、転写用ベルト４、および、感光体ドラム２Ｍ，２Ｃ，２Ｙ，２ＢＫの双方が完全に停止するまで、転写バイアスの印加により、各感光体ドラム２Ｍ，２Ｃ，２Ｙ，２ＢＫと転写用ベルト４とを互いに引き付けている。これにより、感光体ドラム２Ｍ，２Ｃ，２Ｙ，２ＢＫと転写用ベルト４が擦れ易い画像形成動作の終了時に、両者が一緒に動くので擦れ合うことを防止できる。
【００３８】
その結果、感光体ドラム２Ｍ，２Ｃ，２Ｙ，２ＢＫが接触部Ｎで異物と擦れ合って傷付くことを防止でき、不要なトナー像の発生による画質の低下を防止できる。
このように、各感光体ドラム２Ｍ，２Ｃ，２Ｙ，２ＢＫの表面を硬質のアモルファスシリコンで形成した場合でも、接触部Ｎで異物と擦れることが防止されているため、これらの感光体ドラム２Ｍ，２Ｃ，２Ｙ，２ＢＫに傷が付くことを良好に防止できる。
【００３９】
この発明は、以上の実施形態の内容に限定されるものではなく、請求項記載の範囲内において種々の変更が可能である。
たとえば、画像形成動作の終了時において、感光体ドラム２Ｍ，２Ｃ，２Ｙ，２ＢＫが完全に停止してから、所定の微小時間（たとえば、３００ｍｓ）経過後に、駆動ローラ３１の回転が完全に停止するようにし、その後に転写バイアス電源５をオフするようにしてもよい。
【００４０】
この場合、転写用ベルト４が感光体ドラム２ＢＫに接触部Ｎで引き付けられた状態で、上記微小時間だけ、駆動ローラ３１が転写用ベルト４に張力を与えることとなる。これにより、画像形成動作の終了後も、転写用ベルト４は、感光体ドラム２ＢＫと駆動ローラ３１との間で張力を与えられて張られた状態となる。したがって、次の画像形成動作開始の際に、転写用ベルト４に張力を与えるための時間をなくすことができ、ファースト出力時間をより短くすることができる。
【００４１】
また、画像形成動作の終了時に、駆動ローラ３１の駆動停止のタイミングと、感光体ドラム２Ｍ，２Ｃ，２Ｙ，２ＢＫの駆動停止のタイミングとの間に、微小時間差を設けることにより、転写用ベルト４と感光体ドラム２Ｍ，２Ｃ，２Ｙ，２ＢＫとが同時に停止するようにしてもよい。
さらに、画像形成動作の開始・終了時、および、トナー像を用紙Ｐに転写している時以外は、転写バイアスの印加は、行われていてもよいし、行われていなくてもよい。
【００４２】
また、転写用ベルトを中間転写ベルトとして用いてもよい。この場合、各感光体ドラムに形成されたトナー像は、転写用ベルトに転写され、その後、用紙に転写される。
さらに、この発明は、感光体ドラムの数が１つであるモノクロの複写機に適用することができ、また、複写機以外の他の画像形成装置に適用することができる。
【図面の簡単な説明】
【００４３】
【図１】この発明の一実施形態にかかる画像形成装置としての複写機の概略構成を示す模式的な側面図である。
【図２】画像形成動作の開始時における転写バイアス電源、駆動ローラモータ、および、各ドラムモータの動作について説明するためのタイミングチャートである。
【符号の説明】
【００４４】
１  複写機（画像形成装置）
２Ｍ，２Ｃ，２Ｙ，２ＢＫ  感光体ドラム（像担持体）
３  ローラ
４  転写用ベルト
５  転写バイアス電源（転写バイアス印加手段）
６  制御部（駆動開始制御手段、停止制御手段）
９  架張部
Ｎ  接触部
【図１】
2006242992.tif 000003
【図２】
2006242992.tif 000004